(57)【要約】【課題】使い勝手に優れる複合テーブルを提供する。【解決手段】メインテーブル１１と、メインテーブル１１に格納自在にして、メインテーブ１１から引き出された位置でメインテーブル１１に対して回動自在に組み付けられたサブテーブル１２と、を備えた複合テーブル１０。【選択図】図１
2008073240.tif 000002
【特許請求の範囲】
【請求項１】
メインテーブルと、
前記メインテーブルに格納自在にして、該メインテーブルから引き出された位置で前記メインテーブルに対して回動自在に組み付けられたサブテーブルと、
を備えたことを特徴とする複合テーブル。
【請求項２】
前記サブテーブルが、前記メインテーブルよりも小さい外形を有し、該メインテーブルの下側であって、前記メインテーブルを支持するメインテーブル用脚部の間に格納されることを特徴とする請求項１に記載した複合テーブル。
【請求項３】
前記メインテーブル用脚部の間にガイドレールが配置されており、該ガイドレールに支持されながら移動自在な支持板上に、前記サブテーブルに固定されて該サブテーブルを回動自在に支持する回動支持部材と、該サブテーブルの回動範囲を規制する回動範囲規制機構と、を備えていることを特徴とする請求項１または請求項２に記載した複合テーブル。
【請求項４】
前記支持板と前記ガイドレールとの間に、前記サブテーブルが格納位置に到達したことを検知する検知機構を備えていることを特徴とする請求項３に記載した複合テーブル。
【請求項５】
前記サブテーブルに、格納位置に到達する際に前記メインテーブル用脚部側への当接を緩衝する緩衝部を備えていることを特徴とする請求項２〜請求項４のいずれか一項に記載の複合テーブル。
【発明の詳細な説明】
【技術分野】
【０００１】
本発明は、メインテーブルとサブテーブルとをもち、使用形態に応じてサブテーブルをメインテーブルから引き出して使用する複合テーブルに関する。
【背景技術】
【０００２】
複合テーブルの一例として、キャビネットの上面や内部に天板を、スライド回転式に配置したものが知られている（例えば、特許文献１参照）。
【０００３】
また、複合テーブルの他の一例として、移動テーブルの天板上面の一方端に回転中心を設け、この移動テーブル上に回転テーブルを回動自在に配置したものが知られている（例えば、特許文献２参照）。
【０００４】
さらに、複合テーブルの他の一例として、テーブル天板裏面の支持脚間に設置したガイドレールに補助テーブルを引き出し自在に設けたものが知られている（例えば、特許文献３参照）。
【０００５】
【特許文献１】実用新案登録第３１０９５０７号公報
【特許文献２】特開２００５−１５２２４０号公報
【特許文献３】特開平７−１６７４３９号公報
【発明の開示】
【発明が解決しようとする課題】
【０００６】
ところが、上記特許文献１及び上記特許文献２に開示された複合テーブルにおいては、天板が自由に回動する構造であるために、キャスターを介して移動させる際に、天板が勝手に回動してしまう虞がある。また、回動される天板が、複合テーブルのいちばん上に配置されているために、回動時に倒れる虞のある、例えば花瓶等の物品を置くことができない。
【０００７】
また、上記特許文献３に開示された複合テーブルにおいては、補助テーブルは、テーブル天板から単純に引き出されるだけなので、複数の複合テーブルを輪形状に繋げるバリエーションに対応できない。
【０００８】
本発明は、上述した事情に鑑みてなされたものであり、その目的は、使い勝手に優れる複合テーブルを提供することにある。
【課題を解決するための手段】
【０００９】
１）本発明に係る複合テーブルは、メインテーブルと、前記メインテーブルに格納自在にして、該メインテーブルから引き出された位置で前記メインテーブルに対して回動自在に組み付けられたサブテーブルと、を備えたことを特徴とする。
【００１０】
上記１）に記載の発明によれば、サブテーブルは、メインテーブルの延長線上に引き出された位置で２個のテーブルを並べて使用することができるのに加えて、メインテーブルから引き出された位置で必要な角度だけ回動させて使用することができる。これにより、メインテーブルとサブテーブルとの組み合わせを複数用いることで輪形状に繋げるバリエーションを可能にすることができるので使い勝手に優れるものとなる。
【００１１】
２）また、本発明に係る複合テーブルは、上記１）に記載した複合テーブルにおいて、前記サブテーブルが、前記メインテーブルよりも小さい外形を有し、該メインテーブルの下側であって、前記メインテーブルを支持するメインテーブル用脚部の間に格納されることを特徴とする。
【００１２】
上記２）に記載の発明によれば、サブテーブルは、使用しないときにメインテーブルの下側で、メインテーブル用脚部の間に格納されるために、メインテーブルだけのスマートなスタイルに見えるので、外観面で良好とすることができる。
【００１３】
３）また、本発明に係る複合テーブルは、上記１）または上記２）に記載した複合テーブルにおいて、前記メインテーブル用脚部の間にガイドレールが配置されており、該ガイドレールに支持されながら移動自在な支持板上に、前記サブテーブルに固定されて該サブテーブルを回動自在に支持する回動支持部材と、該サブテーブルの回動範囲を規制する回動範囲規制機構と、を備えていることを特徴とする。
【００１４】
上記３）に記載の発明によれば、サブテーブルは、支持板がガイドレールに支持されながら引き出し位置まで移動したところで、回動支持部材を介し、回動範囲規制機構の範囲で回動されるために、複合テーブルとして必要な角度の範囲でのみ回動することができる。
【００１５】
４）また、本発明に係る複合テーブルは、上記３）に記載した複合テーブルにおいて、前記支持板と前記ガイドレールとの間に、前記サブテーブルが格納位置に到達したことを検知する検知機構を備えていることを特徴とする。
【００１６】
上記４）に記載の発明によれば、サブテーブルがメインテーブルに格納された際に、検知機構によってサブテーブルが格納されたことが検知されるために、サブテーブルの位置を確認することができる。
【００１７】
５）また、本発明に係る複合テーブルは、上記２）〜上記５）のいずれかに記載した複合テーブルにおいて、前記サブテーブルに、格納位置に到達する際に前記メインテーブル用脚部側への当接を緩衝する緩衝部を備えていることを特徴とする。
【００１８】
上記５）に記載の発明によれば、サブテーブルが格納位置に到達する際に、緩衝部が当接することで、メインテーブル用脚部側への当接を緩衝するために、衝撃を緩衝して金属音等の耳障りな異音を発することがない。
【発明の効果】
【００１９】
本発明の複合テーブルによれば、天板が勝手に回動してしまう虞がある、回動時に倒れる虞のある物品を置くことができない、複数の複合テーブルを輪形状に繋げるバリエーションに対応できない、という問題を解決でき、これにより、使い勝手に優れるという効果が得られる。
【発明を実施するための最良の形態】
【００２０】
以下、本発明に係る好適な実施の形態例を図面に基づいて詳細に説明する。
【００２１】
図１〜図１１は本発明に係る複合テーブルの一実施形態を示すもので、図１は本発明の一実施形態に係る複合テーブルの平面図、図２は図１に示す複合テーブルの正面図、図３は図１に示す複合テーブルの右側面図、図４は図１に示す複合テーブルにおけるメインテーブル用脚部周りの外観斜視図、図５は図１に示す複合テーブルにおける支持板周りの一部破断外観斜視図、図６は図１に示す複合テーブルにおけるサブ天板周りの各部品の組付け関係を説明する斜め上方から視た外観斜視図、図７は図１に示す複合テーブルにおけるサブ天板周りの各部品の組付け関係を説明する斜め下方から視た外観斜視図、図８は図１に示す複合テーブルのサブテーブルが格納状態での斜め下方から視た外観斜視図、図９は図１に示す複合テーブルのサブテーブルが引き出し状態での斜め下方から視た外観斜視図、図１０は図１に示す複合テーブルのサブテーブルが回動状態での斜め下方から視た外観斜視図、図１１は図１に示した複合テーブルを複数組み合わせた状態を示す外観斜視図である。
【００２２】
図１に示すように、本発明の一実施形態である複合テーブル１０は、メインテーブル１１と、サブテーブル１２と、を備える。
【００２３】
メインテーブル１１は、メイン天板１３を備えており、メイン天板１３は、４箇所の隅部分が円形であって、２個の長辺部分が凹状の湾曲形状に形成された、全体として角のない丸みを帯びた板部材である。
【００２４】
サブテーブル１２は、メイン天板１３よりも小さいサブ天板１４を備えており、サブ天板１４は、３箇所の隅部分が円形であって、全体として角のない略三角形の板部材である。
【００２５】
図２、図３に示すように、メインテーブル１１は、一対の２個のメインテーブル用脚部１５，１６を備えており、サブテーブル１２は、一対の２個のサブテーブル用脚部１７，１８を備えている。メインテーブル用脚部１５，１６とサブテーブル用脚部１７，１８との床面側下端部には、キャスター１９がそれぞれ取り付けられている。
【００２６】
図４に示すように、メインテーブル用脚部１５，１６は、略コ字形状に形成されており、一対のガイドレール２０の両端部に直交して結合されている一対のガイドレールバー２１の端部に固定されている。メインテーブル用脚部１５，１６は、サブ天板１４の奥行き寸法よりもわずかに大きい間隔寸法に配置されており、サブ天板１４をメイン天板１３とメインテーブル用脚部１５，１６との間に格納するための空間を設定する軸部材２３が３個ずつ立設されている。軸部材２３は、メイン天板１３の裏面にそれぞれ固定される。
【００２７】
サブテーブル用脚部１７，１８は、サブテーブル１２が片脚式であるために、ブラケット２４に固定されて、右方側にのみ配置されている。サブテーブル用脚部１７，１８の先端部には、樹脂製の緩衝部材２５がそれぞれ装着されている。緩衝部材２５は、サブテーブル１２が、格納位置（図１参照）Ａ１に到達する際に、メインテーブル用脚部１５，１６側のガイドレールバー２１への当接を緩衝する機能を有する。
【００２８】
ガイドレール２０は、角Ｃ字の断面形状を有する金属製部材であって、メイン天板１３の幅方向に平行にしてそれぞれ配置されており、支持板２６をメイン天板１３の幅方向に移動自在に支持している。支持板２６は、両ガイドレール２０に掛け渡された四角形の板部材であり、上面に回動支持部材２７と、回動範囲規制機構の支持板２６側を構成する２個の回動止め用突板２８とが取り付けられている。回動支持部材２７は、下部板２９と上部板３０とが回動自在に連結されており、両板２９，３０の間に、例えば針状ころ軸受等の転がり軸受が放射状に配列されている。
【００２９】
図５に示すように、支持板２６の端縁には、検知機構の支持板２６側を構成する突片３１が両ガイドレール２０内に向けて下方に折り曲げて形成されており、ガイドレール２０の端部寄りには、検知機構のガイドレール２０側を構成するばね部材３２が上方に向けて突出してそれぞれ取り付けられている。検知機構は、ガイドレール２０上を移動する支持板２６が格納位置Ａ１に到達する際に、支持板２６の突片３１がガイドレール２０のばね部材３２を乗り越えることでクリック感を生じ、それによってサブテーブル１２が格納されたことを促す。
【００３０】
図６、図７に示すように、支持板２６の下面には、一対の移動支持部材３３が固定されており、これら移動支持部材３３がガイドレール２０に組み付けられている。このとき、移動支持部材３３は、ガイドレール２０の中央部に形成されている切欠部３４から組み入れられる。
【００３１】
そして、サブ天板１４の左端側の取付位置には、回動範囲規制機構のサブ天板１４側を構成する突起部材３５が回動支持部材２７の外周部に固定されている。そして、２個の回動止め用突板２８が支持板２６上において、突起部材３５のほぼ１８０度の回動範囲に対応して配置されている。
【００３２】
次に、図８〜図１０を参照して、複合テーブル１０の動作について説明する。
【００３３】
図８に示すように、サブテーブル１２が格納位置Ａ１にあると、支持板２６は、ガイドレール２０の左端部にあり、サブ天板１４は、軸部材２３によってメイン天板１３とメインテーブル用脚部１５，１６との間に形成されている空間内に配置され、サブテーブル用脚部１７，１８の緩衝部材２５がガイドレールバー２１に当接している。このとき、サブテーブル１２は、支持板２６の突片３１がガイドレール２０のばね部材３２を乗り越えているために、メインテーブル１１から勝手に飛び出すことはない。
【００３４】
図９に示すように、サブテーブル１２をメインテーブル１１から引き出すに際し、サブ天板１４の右端部の裏面に取り付けられている凹部３６に指を引っ掛けるなどしてメイン天板１３の幅方向に引張される。すると、支持板２６は、移動支持部材３３を介してガイドレール２０上を右端部に向けて移動され、移動支持部材３３がガイドレールバー２１に衝突したところで、サブ天板１４が引き出し位置（図１参照）Ａ２に到達する。サブテーブル１２がメインテーブル１１から引き出されたことで、サブテーブル１２は、支持板２６側が右方のガイドレールバー２１によって支持され、右端がサブテーブル用脚部１７，１８によって支持され、メイン天板１３上と、このメイン天板１３に横方向に並べられたサブ天板１４上とを用いて物品を置くことができる。
【００３５】
次に、図１０に示すように、メインテーブル１１から引き出されているサブテーブル１２を回動させて用いるに際し、サブ天板１４の右端側が、例えば後方に向けて押圧される。後方に向けて押圧されたサブ天板１４は、メイン天板１３とメインテーブル用脚部１５，１６との隙間でもって、支持板２６上で回動支持部材２７の上部板３０が下部板２９に対して回動され、突起部材３５が一方の回動止め用突板２８に衝突する、ほぼ９０度の範囲で回動される。これにより、サブ天板１４がメイン天板１３に直交する位置でもってメイン天板１３及びサブ天板１４を使用することができる。そして、このサブ天板１４とメイン天板１３との直交組み合わせの２個の複合テーブル１０を四角形状に合体されることで、四角いテーブルを形成することができる。このとき、サブ天板１４の右端側を、前方に向けて押圧した場合においても、サブ天板１４がメイン天板１３に直交する位置でもってメイン天板１３及びサブ天板１４を使用することができる。
【００３６】
また、サブ天板１４の回動位置を、例えば後方４５度等の中間位置に設定し、このメイン天板１３とサブ天板１４とのへ字形状の組み合わせを複数繋げることで、複数の複合テーブル１０を用いて、多人数の会議等のための大きな円形テーブルを形成することができる。
【００３７】
また、メイン天板１３の奥行き方向に、別の複合テーブル１０のメイン天板１３を並べて配置した場合に、メイン天板１３の２個の長辺部分が凹状の湾曲形状に形成されているために、それらによって形成されている空間から床面側に配線等を簡単に通すことができる。
【００３８】
上述したように、本実施形態の複合テーブル１０によれば、サブテーブル１２は、メインテーブル１１の延長線上に引き出された引き出し位置Ａ２で、メイン天板１３とサブ天板１４とを並べて使用することができるのに加えて、メインテーブル１１から引き出された引き出し位置Ａ２で必要な角度だけ回動させて使用することができる。これにより、図１１に示すように、メインテーブル１１とサブテーブル１２との組み合わせを複数用いることで四角状や輪形状に繋げるバリエーションを可能にすることができるので使い勝手に優れるものとなる。
【００３９】
また、複合テーブル１０によれば、サブテーブル１２は、使用しないときにメインテーブル１１のメイン天板１３の下側で、メインテーブル用脚部１５，１６の間に格納されるために、メインテーブル１１だけのスマートなスタイルに見えるので、外観面で良好とすることができる。
【００４０】
また、複合テーブル１０によれば、サブテーブル１２は、支持板２６がガイドレール２０に支持されながら引き出し位置Ａ２まで移動したところで、回動支持部材２７を介し、回動範囲規制機構である突起部材３５が回動止め用突板２８に衝突する範囲で回動されるため、複合テーブル１０として必要な角度の範囲でのみ回動することができる。
【００４１】
また、複合テーブル１０によれば、サブテーブル１２のサブ天板１４がメインテーブル１１に格納された際に、検知機構である突片３１とばね部材３２とによってサブテーブル１２が格納されたことが検知されるため、サブテーブル１２の位置を確認することができる。
【００４２】
そして、複合テーブル１０によれば、サブテーブル１２が格納位置Ａ１に到達する際に、緩衝部材２５がメインテーブル用脚部１５，１６側のガイドレールバー２２への当接を緩衝するため、衝撃を緩衝して金属音等の耳障りな異音を発することがない。
【００４３】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００４４】
【図１】本発明の一実施形態に係る複合テーブルの平面図である。
【図２】図１に示した複合テーブルの正面図である。
【図３】図１に示した複合テーブルの右側面図である。
【図４】図１に示した複合テーブルにおけるメインテーブル用脚部周りの外観斜視図である。
【図５】図１に示した複合テーブルにおける支持板周りの一部破断外観斜視図である。
【図６】図１に示した複合テーブルにおけるサブ天板周りの各部品の組付け関係を説明する斜め上方から視た外観斜視図である。
【図７】図１に示した複合テーブルにおけるサブ天板周りの各部品の組付け関係を説明する斜め下方から視た外観斜視図である。
【図８】図１に示した複合テーブルのサブテーブルが格納状態での斜め下方から視た外観斜視図である。
【図９】図１に示した複合テーブルのサブテーブルが引き出し状態での斜め下方から視た外観斜視図である。
【図１０】図１に示した複合テーブルのサブテーブルが回動状態での斜め下方から視た外観斜視図である。
【図１１】図１に示した複合テーブルを複数組み合わせた状態を示す外観斜視図である。
【符号の説明】
【００４５】
１０        複合テーブル
１１        メインテーブル
１２        サブテーブル
１５，１６  メインテーブル用脚部
２０        ガイドレール
２５        緩衝部材（緩衝部）
２６        支持板
２７        回動支持部材
２８        回動止め用突板（回動範囲規制機構）
３１        突片（検知機構）
３２        ばね部材（検知機構）
３５        突板部材（回動範囲規制機構）
【図１】
2008073240.tif 000003
【図２】
2008073240.tif 000004
【図３】
2008073240.tif 000005
【図４】
2008073240.tif 000006
【図５】
2008073240.tif 000007
【図６】
2008073240.tif 000008
【図７】
2008073240.tif 000009
【図８】
2008073240.tif 000010
【図９】
2008073240.tif 000011
【図１０】
2008073240.tif 000012
【図１１】
2008073240.tif 000013